(57)【要約】【課題】より高い偽造防止効果を実現する。【解決手段】本発明の表示体１０は、複数の溝からなるレリーフ型回折格子が設けられた第１界面部１２ａと、前記複数の溝の最小中心間距離と比較してより小さい中心間距離で二次元的に配置されると共に各々が順テーパ形状を有する複数の凹部又は凸部が設けられた第２界面部１２ｂとを備えたことを特徴とする。【選択図】      図２
2008107470.tif 000002
【特許請求の範囲】
【請求項１】
複数の溝からなるレリーフ型回折格子が設けられた第１界面部と、前記複数の溝の最小中心間距離と比較してより小さい中心間距離で二次元的に配置されると共に各々が順テーパ形状を有する複数の凹部又は凸部が設けられた第２界面部とを備えたことを特徴とする表示体。
【請求項２】
前記第１界面部は複数の第１画素を配列してなり、前記第２界面部は複数の第２画素を配列してなることを特徴とする請求項１に記載の表示体。
【請求項３】
前記複数の第１画素は、前記複数の溝の空間周波数、方位、及び深さ、並びに、前記第１画素に対する前記回折格子の面積比の少なくとも１つが互いに異なる画素を含み、前記複数の第２画素は、前記複数の凹部又は凸部の形状、深さ又は高さ、平均中心間距離、及び配置パターンの少なくとも１つが互いに異なる画素を含んでいることを特徴とする請求項２に記載の表示体。
【請求項４】
前記複数の凹部又は凸部は不規則に配置されていることを特徴とする請求項１乃至３の何れか１項に記載の表示体。
【請求項５】
前記複数の凹部又は凸部は形状が互いに等しく、前記複数の凹部又は凸部の配列は正方格子又は矩形格子を形成していることを特徴とする請求項１乃至３の何れか１項に記載の表示体。
【請求項６】
前記複数の凹部又は凸部は形状が互いに等しく、前記複数の凹部又は凸部の配列は三角格子を形成していることを特徴とする請求項１乃至３の何れか１項に記載の表示体。
【請求項７】
前記複数の凹部又は凸部の各々は、角錐、円錐、又は紡錘形状を有していることを特徴とする請求項１乃至６の何れか１項に記載の表示体。
【請求項８】
前記複数の凹部又は凸部の中心間距離は４００ｎｍ以下であることを特徴とする請求項１乃至７の何れか１項に記載の表示体。
【請求項９】
前記複数の凹部又は凸部の中心間距離は２００ｎｍ乃至３５０ｎｍの範囲内にあることを特徴とする請求項１乃至７の何れか１項に記載の表示体。
【請求項１０】
前記複数の凹部又は凸部の深さ又は高さは、前記複数の凹部又は凸部の中心間距離の１／２以上であることを特徴とする請求項１乃至９の何れか１項に記載の表示体。
【請求項１１】
前記複数の凹部又は凸部は、前記第２界面部に平行な一方向についての寸法とこの方向についての中心間距離とが等しいことを特徴とする請求項１乃至１０の何れか１項に記載の表示体。
【請求項１２】
一方の主面が前記第１及び第２界面部を含んだ光透過層と、前記光透過層の前記主面を被覆した反射層とを具備したことを特徴とする請求項１乃至１１の何れか１項に記載の表示体。
【請求項１３】
印刷層を含んだ基材と、前記基材に支持された請求項１乃至１２の何れか１項に記載の表示体とを具備したことを特徴とする印刷物。
【発明の詳細な説明】
【技術分野】
【０００１】
本発明は、偽造防止技術に関する。
【背景技術】
【０００２】
キャッシュカード、クレジットカード及びパスポートなどの認証物品並びに商品券及び株券などの有価証券には、偽造が困難であることが望まれる。そのため、従来から、そのような物品には、その偽造を抑止すべく、偽造又は模造が困難であると共に、偽造品や模造品との区別が容易なラベルが貼り付けられている。
【０００３】
また、近年では、認証物品及び有価証券以外の物品についても、偽造品の流通が問題視されている。そのため、このような物品に、認証物品及び有価証券に関して上述した偽造防止技術を適用する機会が増えている。
【０００４】
特許文献１には、複数の画素を配列してなる表示体が記載されている。この表示体において、各画素は、複数の溝を配置してなるレリーフ型回折格子を含んでいる。
【０００５】
この表示体は、回折光を利用して画像を表示するため、印刷技術や電子写真技術を利用した偽造等は不可能である。したがって、この表示体を真偽判定用のラベルとして物品に取り付ければ、このラベルが表示する画像を見てその物品が真正品であることを確認することができる。それゆえ、このラベルを取り付けた物品は、このラベルを取り付けていない物品と比較して偽造され難い。
【０００６】
しかしながら、先のレリーフ型回折格子は、レーザなどの装置があれば、比較的容易に形成することができる。また、先の表示体は、照明光の入射角、観察角度、又は表示体の方位を変化させることにより表示画像の変化を生じるが、その変化は多様性に富んでいる訳ではない。それゆえ、技術の発展に伴い、この表示体の偽造防止効果は低下しつつある。なお、ここでは、偽造又は模造が困難であること、偽造品や模造品との区別が容易であることを偽造防止効果と呼ぶ。
【特許文献１】特開平２−７２３２０号公報
【発明の開示】
【発明が解決しようとする課題】
【０００７】
本発明の目的は、より高い偽造防止効果を実現することにある。
【課題を解決するための手段】
【０００８】
本発明の第１側面によると、複数の溝からなるレリーフ型回折格子が設けられた第１界面部と、前記複数の溝の最小中心間距離と比較してより小さい中心間距離で二次元的に配置されると共に各々が順テーパ形状を有する複数の凹部又は凸部が設けられた第２界面部とを備えたことを特徴とする表示体が提供される。
【０００９】
本発明の第２側面によると、印刷層を含んだ基材と、前記基材に支持された第１側面に係る表示体とを具備したことを特徴とする印刷物が提供される。
【発明の効果】
【００１０】
本発明によると、より高い偽造防止効果を実現することが可能となる。
【発明を実施するための最良の形態】
【００１１】
以下、本発明の態様について、図面を参照しながら詳細に説明する。なお、各図において、同様又は類似した機能を発揮する構成要素には同一の参照符号を付し、重複する説明は省略する。
【００１２】
図１は、本発明の一態様に係る表示体を概略的に示す平面図である。図２は、図１に示す表示体のＩＩ−ＩＩ線に沿った断面図である。
【００１３】
この表示体１０は、光透過層１１と反射層１３との積層体を含んでいる。図２に示す例では、光透過層１１側を前面側とし且つ反射層１３側を背面側としている。光透過層１１と反射層１３との界面は、第１界面部１２ａと第２界面部１２ｂと第３界面部１２ｃとを含んでいる。後述するように、第１界面部１２ａ及び第２界面部１２ｂには、凹構造及び／又は凸構造が設けられている。
【００１４】
光透過層１１の材料としては、例えば、光透過性を有する樹脂を使用することができる。例えば、熱可塑性樹脂又は光硬化性樹脂を使用すると、原版を用いた転写により、一方の主面に凹構造及び／又は凸構造が設けられた光透過層１１を容易に形成することができる。
【００１５】
反射層１３としては、例えば、アルミニウム、銀、及びそれらの合金などの金属材料からなる金属層を使用することができる。或いは、反射層１３として、光透過性１１とは屈折率が異なる誘電体層を使用してもよい。或いは、反射層１３として、隣り合うもの同士の屈折率が異なる誘電体層の積層体，すなわち、誘電体多層膜，を使用してもよい。但し、誘電体多層膜が含む誘電体層のうち光透過層１１と接触しているものの屈折率は、光透過層１１の屈折率とは異なっている必要がある。
【００１６】
光透過層１１及び反射層１３の一方は、省略することができる。但し、表示体１０が光透過層１１及び反射層１３の双方を含んでいる場合、それらの一方のみを含んでいる場合と比較して、先の界面の損傷を生じ難く、表示体１０に視認性がより優れた像を表示させることができる。
【００１７】
この表示体１０は、反射層１３を被覆した接着層１５をさらに含んでいる。表示体１０が光透過層１１及び反射層１３の双方を含んでいる場合、先の界面が露出しないようにできるため、この界面の凹構造及び／又は凸構造の複製は困難である。光透過層１１側を背面側とし且つ反射層１３側を前面側とする場合、接着層１５は、光透過層１１上に形成する。この場合、光透過層１１と反射層１３との界面ではなく、反射層１３と外界との界面が第１界面部１２ａと第２界面部１２ｂと第３界面部１２ｃとを含む。また、接着層１５は、省略することができる。
【００１８】
図３は、図１及び図２に示す表示体の第１界面部に採用可能な構造の一例を拡大して示す斜視図である。図４は、図１及び図２に示す表示体の第２界面部に採用可能な構造の一例を拡大して示す斜視図である。
【００１９】
第１界面部１２ａには、複数の溝１４ａを配置してなるレリーフ型回折格子が設けられている。溝１４ａの中心間距離は、例えば、０．５μｍ乃至２μｍの範囲内にある。また、溝１４ａの深さは、例えば０．１μｍ乃至１μｍの範囲内にあり、典型的には０．１μｍ乃至０．３μｍの範囲内にある。
【００２０】
なお、用語「回折格子」は、自然光などの照明光を照射することにより回折波を生じる構造を意味し、複数の溝１４ａを平行且つ等間隔に配置する通常の回折格子に加え、ホログラムに記録された干渉縞も包含することとする。また、溝１４ａ又は溝１４ａに挟まれた部分を「格子線」と呼ぶこととする。
【００２１】
第２界面部１２ｂには、複数の凹部又は凸部１４ｂが設けられている。これら凹部又は凸部１４ｂは、溝１４ａの最小中心間距離と比較してより小さい中心間距離で二次元的に配置されている。各凹部又は凸部１４ｂは、順テーパ形状を有している。凹部又は凸部１４ｂの深さ又は高さは、通常は溝１４ａの深さよりも大きく、典型的には０．３μｍ乃至０．５μｍの範囲内にある。  
第３界面部１２ｃは、平坦面である。第３界面部１２ｃは、省略することができる。
【００２２】
この表示体１０は、複数の凹部又は凸部１４ｂが設けられた第２界面部１２ｂを含んでいる。上記の通り、凹部又は凸部１４ｂは、回折格子を形成している溝１４ａの最小中心間距離と比較してより小さい中心間距離で二次元的に配置されている。すなわち、この表示体１０は、回折格子を形成している溝１４ａと比較して、より微細な構造を含んでいる。
【００２３】
完成した表示体１０から、そのような微細構造を正確に解析することは困難である。そして、例え、完成した表示体１０から先の微細構造を解析できたとしても、この微細構造を含んだ表示体の偽造又は模造は難しい。回折格子の場合、レーザ光などを利用した光学的複製方法によって干渉縞として構造をコピーされることがあるが、第２界面部１２ｂの微細構造は複製不可能である。
【００２４】
また、この表示体１０は、極めて特殊な視覚効果を有している。すなわち、第１界面部１２ａは、波長分散を伴う回折光を生じ、すなわち、視点位置により七色にカラーシフトして見え、回折格子が形成された通常の界面として認識される。また、反射層１３として金属層を使用した場合には、第３界面部１２ｃと同様、第１界面部１２ａでも回折光が観察されない条件では金属光沢を観察することができる。これに対し、第２界面部１２ｂは、典型的には、あたかも回折格子の一部と重なり合うように形成された黒色印刷層の如く見える。それゆえ、偽造又は模造を試みる者は、第２界面部１２ｂに先の微細構造が存在していること自体を認識することが難しい。
【００２５】
したがって、この表示体１０を偽造防止用のラベルとして使用すると、高い偽造防止効果を実現することができる。
【００２６】
この表示体１０の視覚効果について、さらに詳細に説明する。  
まず、第１界面部１２ａに起因した視覚効果について説明する。
【００２７】
回折格子を照明すると、回折格子は、入射光である照明光の進行方向に対して特定の方向に強い回折光を射出する。
【００２８】
最も代表的な回折光は、１次回折光である。１次回折光の射出角βは、回折格子の格子線に垂直な面内で光が進行する場合、下記等式（１）から算出することができる。  
ｄ＝λ／（ｓｉｎα−ｓｉｎβ）  …（１）
この等式（１）において、ｄは回折格子の格子定数を表し、λは入射光及び回折光の波長を表している。また、αは、０次回折光，すなわち、透過光又は正反射光，の射出角を表している。換言すれば、αの絶対値は、照明光の入射角と等しく、入射角とはＺ軸に対して対称な関係である（反射型回折格子の場合）。なお、α、βは、Ｚ軸から時計回りの方向を正方向とする。
【００２９】
等式（１）から明らかなように、１次回折光の射出角βは、波長λに応じて変化する。すなわち、回折格子は、分光器としての機能を有している。したがって、照明光が白色光である場合、回折格子の格子線に垂直な面内で観察角度を変化させると、観察者が知覚する色が変化する。
【００３０】
また、或る観察条件のもとで観察者が知覚する色は、格子定数ｄに応じて変化する。  
一例として、回折格子は、その法線方向に１次回折光を射出するとする。すなわち、１次回折光の射出角βは、０°であるとする。そして、観察者は、この１次回折光を知覚するとする。このときの０次回折光の射出角をαＮとすると、等式（１）は、下記等式（２）へと簡略化することができる。
【００３１】
ｄ＝λ／ｓｉｎαＮ  …（２）
等式（２）から明らかなように、観察者に特定の色を知覚させるには、その色に対応した波長λと照明光の入射角｜αＮ｜と格子定数ｄとを、それらが等式（２）に示す関係を満足するように設定すればよい。例えば、波長が４００ｎｍ乃至７００ｎｍの範囲内にある全ての光成分を含んだ白色光を照明光として使用し、照明光の入射角｜αＮ｜を４５°とする。そして、空間周波数（格子定数の逆数）が１０００本／ｍｍ乃至１８００本／ｍｍの範囲内で分布している回折格子を使用するとする。この場合、回折格子をその法線方向から観察すると、空間周波数が約１６００本／ｍｍの部分は青く見え、空間周波数が約１１００本／ｍｍの部分は赤く見える。
【００３２】
なお、回折格子は、空間周波数が小さいほうが形成し易い。そのため、通常の表示体では、回折格子の大多数は、空間周波数が５００本／ｍｍ乃至１６００本／ｍｍの回折格子である。
【００３３】
このように、或る観察条件のもとで観察者が知覚する色は、回折格子の格子定数ｄ（又は空間周波数）で制御することができる。そして、先の観察条件から観察角度を変化させると、観察者が知覚する色は変化する。
【００３４】
上記の説明では、光が格子線に垂直な面内で進行することを仮定している。この状態から回折格子をその法線の周りで回転させると、一定の観察方向に対して、この回転角度に応じて格子定数ｄの実効値が変化する。その結果、観察者が知覚する色が変化する。逆に言えば、格子線の方位のみが異なる複数の回折格子を配置した場合、それら回折格子に異なる色を表示させることができる。また、回転角度が十分に大きくなると、一定の観察方向からは回折光が認識できなくなり、回折格子が無い場合と同様に見える。
【００３５】
また、回折格子を構成している溝１４ａの深さを大きくすると、回折効率が変化する（照明光の波長などにも依存）。そして、後で説明する画素に対する回折格子の面積比を大きくすると、回折光の強度はより大きくなる。
【００３６】
したがって、第１界面部１２ａが複数の画素を配列してなる場合、それら画素の一部と他の一部とで、溝１４ａの空間周波数及び／又は方位を異ならしめると、それら画素に異なる色を表示させることができ、また、観察可能な条件を設定することができる。そして、第１界面部１２ａを構成している画素の一部と他の一部とで、溝１４ａの深さ及び／又は画素に対する回折格子の面積比の少なくとも１つを異ならしめると、それら画素の輝度を異ならしめることができる。それゆえ、これらを利用することにより、第１界面部１２ａに、フルカラー像及び立体像などの像を表示させることができる。
【００３７】
なお、ここで言う「像」は、色及び／又は輝度の空間的分布として観察できるものを意味する。「像」は、写真、図形、絵、文字、記号などを包含している。
【００３８】
次に、第２界面部１２ｂに起因した視覚効果について説明する。  
図５は、第１界面部が回折光を射出する様子を概略的に示す図である。図６は、第２界面部が回折光を射出する様子を概略的に示す図である。図５及び図６において、３１ａ及び３１ｂは照明光を示し、３２ａ及び３２ｂは正反射光又は０次回折光を示し、３３ａ及び３３ｂは１次回折光を示している。
【００３９】
上記の通り、第２界面部１２ｂに設けられた複数の凹部又は凸部１４ｂは、溝１４ａの最小中心間距離，すなわち回折格子の格子定数，と比較してより小さい中心間距離で二次元的に配置されている。そのため、凹部又は凸部１４ｂが規則的に配列し、第２界面部１２ｂが回折光３３ｂを射出したとしても、観察者は、この回折光３３ｂと、これと同じ波長を有する第１界面部１２ａからの回折光３３ａとを同時に知覚することはない。そして、回折格子の格子定数と凹部又は凸部１４ｂの中心間距離との差が十分に大きければ、波長の如何に拘らず、観察者は、第１界面部１２ａからの回折光３３ａと第２界面部１２ｂからの回折光３３ｂとを同時に知覚することはない。すなわち、この場合、観察者は、第１界面部１２ａからの回折光３３ａを視認可能な観察角度範囲で、第２界面部１２ｂからの回折光３３ｂを視認することはない。
【００４０】
また、各凹部又は凸部１４ｂは、順テーパ形状を有している。そのため、どの角度から観察しても、第２界面部１２ｂの正反射光の反射率は小さい。
【００４１】
したがって、例えば、表示体１０をその法線方向から観察した場合、第２界面部１２ｂは、第１界面部１２ａと比較してより暗く見える。そして、この場合、典型的には、第２界面部１２ｂは黒色に見える。なお、ここで、「黒色」は、例えば、表示体１０に法線方向から光を照射し、正反射光の強度を測定したときに、波長が４００ｎｍ乃至７００ｎｍの範囲内にある全ての光成分について反射率が１０％以下であることを意味する。それゆえ、第２界面部１２ｂは、あたかも回折格子の一部と重なり合うように形成された黒色印刷層の如く見える。
【００４２】
また、第２界面部１２ｂからの１次回折光３３ｂの射出角が−９０°より大きければ、表示体１０の法線方向と観察方向とが為す角度を適宜設定することにより、観察者は、第２界面部１２ｂからの１次回折光３３ｂを知覚することができる。それゆえ、この場合、第２界面部１２ｂが黒色印刷層とは異なることを、目視により確認することができる。
【００４３】
この構成を採用する場合、凹部又は凸部１４ｂの中心間距離は、例えば、２００ｎｍ乃至３５０ｎｍの範囲内としてもよい。こうすると、上記等式（２）から明らかなように、第２界面部１２ｂは、赤色に対応した波長を有する回折光を射出せず、一方、青色に対応した波長を有する回折光を射出する。他方、第１界面部１２ａは、赤色に対応した波長を有する回折光を射出する。そのため、この場合、第１界面部１２ａが赤色に対応した波長を有する回折光を射出する場合と比較して、表示体１０が真正品であることの確認がより容易になる。
【００４４】
なお、第２界面部１２ｂが複数の画素を配列してなる場合、それら画素の一部と他の一部とで、凹部又は凸部１４ｂの形状、深さ又は高さ、平均中心間距離、及び配置パターンの少なくとも１つを異ならしめると、後で詳述するように、それら画素の反射率等を異ならしめることができる。それゆえ、これを利用することにより、第２界面部１２ｂで階調表示を行うことができる。
【００４５】
また、この表示体１０において、第１界面部１２ａと第２界面部１２ｂとは同一面内にある。それゆえ、例えば、溝１４ａと凹部又は凸部１４ｂとに対応した凸構造及び／又は凹構造を１枚の原版に形成し、この凸構造及び／又は凹構造を光透過層１１に転写することにより、溝１４ａと凹部又は凸部１４ｂとを同時に形成することができる。したがって、原版に凸構造及び／又は凹構造を高精度に形成しておけば、第１界面部１２ａと第２界面部１２ｂとの位置ずれの問題を生じ得ない。また、微細な凹凸構造と高精度の特徴は、高精細な像表示を可能とし、他の方法によって作られたものとの区別が容易である。真正品が極めて高精度に安定して製造できるという事実は、偽造品や模造品との区別を一層容易にする。
【００４６】
表示体１０に表示させる像は、二次元的に配列した複数の画素で構成することが有利である。これについて、以下に説明する。
【００４７】
図７は、マトリクス状に配列した複数の画素で表示面を構成した表示体の一例を概略的に示す平面図である。
【００４８】
この表示体１０では、マトリクス状に配列した３５個の画素ＰＸ１１乃至ＰＸ１７、ＰＸ２１乃至ＰＸ２７、ＰＸ３１乃至ＰＸ３７、ＰＸ４１乃至ＰＸ４７、及びＰＸ５１乃至ＰＸ５７で表示面を構成している。画素ＰＸ１１乃至ＰＸ１７、ＰＸ２１、ＰＸ２７、ＰＸ３１、ＰＸ３７、ＰＸ４１、ＰＸ４７、及びＰＸ５１乃至ＰＸ５７は、第１界面部１２ａを構成している。画素ＰＸ２２乃至ＰＸ２４、ＰＸ２６、ＰＸ３２、ＰＸ３４、ＰＸ３６、及びＰＸ４２乃至４６は、第２界面部１２ｂを構成している。画素ＰＸ２５、ＰＸ３３、及びＰＸ３５は、第３界面部１２ｃを構成している。
【００４９】
画素ＰＸ１１及びＰＸ１２は同一の構造を有しており、画素ＰＸ１３乃至ＰＸ１５は同一の構造を有しており、画素ＰＸ１６、ＰＸ１７、ＰＸ５３、ＰＸ５６及びＰＸ５７は同一の構造を有しており、画素ＰＸ２１、ＰＸ３７、ＰＸ５１、ＰＸ５２及びＰＸ５５は同一の構造を有しており、画素ＰＸ２７及びＰＸ４１は同一の構造を有しており、画素ＰＸ３１、ＰＸ４７及びＰＸ５４は同一の構造を有している。そして、画素ＰＸ１１及びＰＸ１２からなる画素群と、画素ＰＸ１３乃至ＰＸ１５からなる画素群と、画素ＰＸ１６、ＰＸ１７、ＰＸ５３、ＰＸ５６及びＰＸ５７からなる画素群と、画素ＰＸ２１、ＰＸ３７、ＰＸ５１、ＰＸ５２及びＰＸ５５からなる画素群と、画素ＰＸ２７及びＰＸ４１からなる画素群と、画素ＰＸ３１、ＰＸ４７及びＰＸ５４からなる画素群とは、回折格子の構造が異なっている。一例として、図７では、それら画素群間で、回折格子の方位のみを異ならしめている。
【００５０】
また、画素ＰＸ２２乃至ＰＸ２４、ＰＸ２６、ＰＸ３２、ＰＸ３４、ＰＸ３６、及びＰＸ４２乃至４６は、同一の構造を有している。そして、画素ＰＸ２５、ＰＸ３３、及びＰＸ３５は、同一の構造を有している。
【００５１】
すなわち、図７に示す表示体１０では、８種の画素で像を形成している。これら８種の画素の各々の視覚効果が分かっていれば、それらの並べ替えによって得られる像の予想は容易である。それゆえ、デジタル画像データから、各画素に採用すべき構造を容易に決定することができる。したがって、表示体１０に表示させる像を二次元的に配列した複数の画素で構成すると、表示体１０の設計が容易になる。
【００５２】
なお、図７に示す表示体１０では８種の画素で像を形成しているが、像を形成する画素の種類は２以上であればよい。但し、画素の種類を多くすると、より複雑な像を表示することができる。
【００５３】
また、図７に示す表示体１０では３５個の画素で像を構成しているが、像を構成する画素の数は２以上であればよい。但し、画素の数を多くすると、より高精細な像を表示することができる。
【００５４】
図７に示す表示体１０では、第１界面部１２ａを回折格子の方位のみが異なる６種の画素で構成しているが、第１界面部１２ａは、回折格子の構造が異なる複数種の画素で構成してもよい。すなわち、第１界面部１２ａは、溝１４ａの空間周波数、方位、及び深さ、並びに、画素に対する回折格子の面積比の少なくとも１つが互いに異なる複数種の画素で構成してもよい。或いは、第１界面部１２ａは、１種の画素で構成してもよい。
【００５５】
また、図７に示す表示体１０では、第２界面部１２ｂを１種の画素で構成しているが、第２界面部１２ｂは、凹部又は凸部１４ｂの形状、深さ又は高さ、平均中心間距離、及び配置パターンの少なくとも１つが互いに異なる複数種の画素で構成してもよい。
【００５６】
図８乃至図１１は、第２界面部に採用可能な凹部又は凸部の配置パターンの例を概略的に示す平面図である。
【００５７】
図８では、凹部又は凸部１４ｂの配列は、正方格子を形成している。この構造は、電子線描画装置やステッパなどの微細加工装置を用いた製造が比較的容易であり、凹部又は凸部１４ｂの中心間距離などの高精度な制御も比較的容易である。
【００５８】
また、図８の構造では、凹部又は凸部１４ｂは、規則的に配列している。したがって、凹部又は凸部１４ｂの中心間距離を比較的長く設定した場合には、第２界面部１２ｂから回折光を射出させることができる。この場合、第２界面部１２ｂが黒色印刷層とは異なることを、目視により確認することができる。また、凹部又は凸部１４ｂの中心間距離を比較的短く設定した場合，例えば２００ｎｍ以下に設定した場合，には、第２界面部１２ｂからの回折光の射出を防止できる。この場合、観察される色に関しては、第２界面部１２ｂが黒色印刷層とは異なることが分かり難くなる。
【００５９】
図８では、凹部又は凸部１４ｂの中心間距離をＸ方向とＹ方向とで等しくしているが、凹部又は凸部１４ｂの中心間距離はＸ方向とＹ方向とで異ならしめてもよい。すなわち、凹部又は凸部１４ｂの配列は、矩形格子を形成していてもよい。
【００６０】
凹部又は凸部１４ｂの中心間距離をＸ方向及びＹ方向の双方で比較的長く設定すると、Ｙ方向に垂直な方向から表示体１０を照明した場合とＸ方向に垂直な方向から表示体１０を照明した場合との双方において第２界面部１２ｂから回折光を射出させることができ、且つ、前者と後者とで回折光の波長を異ならしめることができる。凹部又は凸部１４ｂの中心間距離をＸ方向及びＹ方向の双方で比較的短く設定すると、照明方向に拘らず、第２界面部１２ｂからの回折光の射出を防止できる。凹部又は凸部１４ｂの中心間距離を、Ｘ方向及びＹ方向の一方で比較的長く設定し、他方で比較的短く設定すると、Ｙ方向及びＸ方向の一方に垂直な方向から表示体１０を照明した場合には第２界面部１２ｂから回折光を射出させ、Ｙ方向及びＸ方向の他方に垂直な方向から表示体１０を照明した場合には第２界面部１２ｂからの回折光の射出を防止できる。
【００６１】
図９では、凹部又は凸部１４ｂの配列は、三角格子を形成している。この構造を採用した場合、図８の構造を採用した場合と同様、凹部又は凸部１４ｂの中心間距離を比較的長く設定すれば、第２界面部１２ｂから回折光を射出させることができ、凹部又は凸部１４ｂの中心間距離を比較的短く設定すれば、第２界面部１２ｂからの回折光の射出を防止できる。
【００６２】
また、図９の構造を採用した場合、凹部又は凸部１４ｂの中心間距離を適宜設定すれば、例えば、Ａ方向から表示体１０を照明したときには第２界面部１２ｂからの回折光の射出を防止し、Ｂ方向及びＣ方向から表示体１０を照明したときには第２界面部１２ｂから回折光を射出させることができる。すなわち、より複雑な視覚効果が得られる。
【００６３】
図１０では、凹部又は凸部１４ｂは、不規則に配置されている。凹部又は凸部１４ｂを不規則に配置した場合、第２界面部からの回折光の射出がさらに生じ難くなる。なお、この構造は、例えば、光の干渉を利用してスペックルの強度分布を記録することにより形成することができる。
【００６４】
図１１では、凹部又は凸部１４ｂは、不規則に配置されているのに加え、大きさが不均一である。この構造を採用した場合、図１０の構造を採用した場合と比較して、第２界面部からの回折光の射出がさらに生じ難くなる。
【００６５】
図８乃至図１１に例示したように、凹部又は凸部１４ｂの配置パターンには、様々な変形が可能である。そして、各配置パターンは、それに固有の視覚効果等を有している。それゆえ、凹部又は凸部１４ｂの配置パターンが異なる複数の画素で第２界面部１２ｂを構成すると、より複雑な視覚効果を得ることができる。
【００６６】
図１２乃至図１４は、図１及び図２に示す表示体の第２界面部に採用可能な構造の他の例を拡大して示す斜視図である。
【００６７】
図１２乃至図１４に示す構造は、図４に示す構造の変形例である。図１２乃至図１４に示す凹部又は凸部１４ｂは何れも、順テーパ形状を有している。
【００６８】
図４に示す構造では、凹部又は凸部１４ｂは、円錐形状を有している。凹部又は凸部１４ｂを円錐形状とする場合、凹部又は凸部１４ｂは先端が尖っていてもよく、切頭円錐形状を有していてもよい。但し、凹部又は凸部１４ｂを先端が尖った円錐形状とした場合、凹部又は凸部１４ｂは第２界面部１２ｂに平行な面を有していないので、切頭円錐形状とした場合と比較して、第２界面部１２ｂの正反射光の反射率をより小さくすることができる。
【００６９】
図１２に示す構造では、凹部又は凸部１４ｂは、四角錐形状を有している。凹部又は凸部１４ｂは、三角錐形状などの四角錐形状以外の角錐形状を有していてもよい。この場合、特定条件で発生する回折光の強度を高くすることができ、観察をより容易にする。また、凹部又は凸部１４ｂを角錐形状とする場合、凹部又は凸部１４ｂは先端が尖っていてもよく、切頭角錐形状を有していてもよい。但し、凹部又は凸部１４ｂを先端が尖った角錐形状とした場合、凹部又は凸部１４ｂは第２界面部１２ｂに平行な面を有していないので、切頭角錐形状とした場合と比較して、第２界面部１２ｂの正反射光の反射率をより小さくすることができる。
【００７０】
図１３に示す構造では、凹部又は凸部１４ｂは、紡錘形状を有している。図１３に示す構造を採用した場合、図４又は図１２に示す構造を採用した場合ほど、第２界面部１２ｂの反射率を小さくすることはできない。但し、図１３に示す構造を採用した場合、図４又は図１２に示す構造を採用した場合と比較して、原版への凸構造及び／又は凹構造の形成や原版から光透過層１１への凸構造及び／又は凹構造の転写がより容易である。
【００７１】
図１４に示す構造では、凹部又は凸部１４ｂは、底面積が異なる複数の四角柱をその底面積が大きなものから順に積み重ねた構造を有している。なお、四角柱の代わりに、円柱や三角柱などの四角柱以外の柱状体を積み重ねてもよい。
【００７２】
図１４に示す構造を採用した場合、図４、図１２又は図１３に示す構造を採用した場合ほど、第２界面部１２ｂの正反射光の反射率を小さくすることはできない。但し、図１４に示す構造を採用した場合、図１３に示す構造を採用した場合と同様、図４又は図１２に示す構造を採用した場合と比較して原版への凸構造及び／又は凹構造の形成や原版から光透過層１１への凸構造及び／又は凹構造の転写がより容易である。
【００７３】
このように、凹部又は凸部１４ｂの形状は、第２界面部１２ｂの反射率に影響を及ぼす。それゆえ、凹部又は凸部１４ｂの形状が異なる複数の画素で第２界面部１２ｂを構成すると、第２界面部１２ｂで階調表示を行うことができる。
【００７４】
第２界面部１２ｂは、凹部又は凸部１４ｂの中心間距離を小さくすると、より暗く見えるようになる。特に、凹部又は凸部１４ｂの中心間距離を４００ｎｍ以下とすると、上記等式（２）から明らかなように、４００ｎｍ乃至７００ｎｍの範囲内の全ての波長について、照明光の入射角に拘らず、第２界面部１２ｂが法線方向へ回折光を射出するのを防ぐことができる。それゆえ、凹部又は凸部１４ｂの中心間距離が異なる複数の画素で第２界面部１２ｂを構成すると、第２界面部１２ｂで階調表示を行うことができる。
【００７５】
第２界面部１２ｂは、凹部又は凸部１４ｂの深さ又は高さを大きくすると、より暗く見えるようになる。例えば、凹部又は凸部１４ｂの深さ又は高さを、それらの中心間距離の１／２以上とすると、第２界面部１２ｂは、極めて暗く見えるようになる。それゆえ、凹部又は凸部１４ｂの深さ又は高さが異なる複数の画素で第２界面部１２ｂを構成すると、第２界面部１２ｂで階調表示を行うことができる。
【００７６】
第２界面部１２ｂは、凹部又は凸部１４ｂの第２界面部１２ｂに平行な一方向についての寸法とこの方向についての凹部又は凸部１４ｂの中心間距離との１：１に近づけると、より暗く見えるようになる。そして、凹部又は凸部１４ｂの第２界面部１２ｂに平行な一方向についての寸法とこの方向についての間隔とを等しくした場合、第２界面部１２ｂは最も暗く見える。それゆえ、先の比が異なる複数の画素で第２界面部１２ｂを構成すると、第２界面部１２ｂで階調表示を行うことができる。
【００７７】
以上、第１界面部１２ａと第２界面部１２ｂを同一面に配置した例を説明したが、それらを異なる面に配置してもよい。例えば、第１及び第２光透過層を積層し、それらの間に第１反射層を介在させると共に、第２光透過層の表面を第２反射層で被覆する。第１反射層として金属層を使用する場合、第１反射層は、第１光透過層側から第２反射層が見えるようにパターニングしておく。そして、第１光透過層と第１反射層との界面の少なくとも一部を第１界面部１２ａ及び第２界面部１２ｂの一方とし、第２光透過層と第２反射層との界面の少なくとも一部を第１界面部１２ａ及び第２界面部１２ｂの他方とする。このような構造を採用した場合も、上述したのと同様の視覚効果を得ることができる。
【００７８】
上述した表示体１０は、例えば、偽造防止用又は識別用ラベルとして使用することができる。表示体１０は偽造又は模造が困難であるため、このラベルを物品に支持させた場合、真正品であるこのラベル付き物品の偽造又は模造も困難である。また、このラベルは上述した視覚効果を有しているため、真正品であるかが不明の物品を真正品と非真正品との間で判別することも容易である。
【００７９】
図１５は、偽造防止用又は識別用ラベルを物品に支持させてなるラベル付き物品の一例を概略的に示す平面図である。図１５には、ラベル付き物品の一例として、印刷物１００を描いている。
【００８０】
この印刷物１００は、磁気カードであって、基材５１を含んでいる。基材５１は、例えば、プラスチックからなる。基材５１上には、印刷層５２と帯状の磁気記録層５３とが形成されている。さらに、基材５１には、表示体１０が偽造防止用又は識別用ラベルとして貼りつけられている。なお、この表示体１０は、表示している像が異なること以外は、図１及び図２等を参照しながら説明したのと同様の構造を有している。
【００８１】
この印刷物１００は、表示体１０を含んでいる。それゆえ、上記の通り、この印刷物１００の偽造又は模造は困難である。また、この印刷物１００は、表示体１０を含んでいるので、真正品であるかが不明の物品を真正品と非真正品との間で判別することも容易である。しかも、この印刷物１００は、表示体１０に加えて、印刷層５２をさらに含んでいるため、印刷層５２の見え方と表示体見え方とを対比することが容易である。それゆえ、印刷物１００が印刷層５２を含んでいない場合と比較して、真正品であるかが不明の物品を真正品と非真正品との間で判別することがより容易である。
【００８２】
なお、図１５には、表示体１０を含んだ印刷物として磁気カードを例示しているが、表示体１０を含んだ印刷物は、これに限られない。例えば、表示体１０を含んだ印刷物は、無線カード、ＩＣ（integrated circuit）カード、ＩＤ（identification）カードなどの他のカードであってもよい。或いは、表示体１０を含んだ印刷物は、商品券及び株券などの有価証券であってもよい。或いは、表示体１０を含んだ印刷物は、真正品であることが確認されるべき物品に取り付けられるべきタグであってもよい。或いは、表示体１０を含んだ印刷物は、真正品であることが確認されるべき物品を収容する包装体又はその一部であってもよい。
【００８３】
また、図１５に示す印刷物１００では、表示体１０を基材５１に貼り付けているが、表示体１０は、他の方法で基材に支持させることができる。例えば、基材として紙を使用した場合、表示体１０を紙に漉き込み、表示体１０に対応した位置で紙を開口させてもよい。
【００８４】
また、ラベル付き物品は、印刷物でなくてもよい。すなわち、印刷層を含んでいない物品に表示体１０を支持させてもよい。
【図面の簡単な説明】
【００８５】
【図１】本発明の一態様に係る表示体を概略的に示す平面図。
【図２】図１に示す表示体のＩＩ−ＩＩ線に沿った断面図。
【図３】図１及び図２に示す表示体の第１界面部に採用可能な構造の一例を拡大して示す斜視図。
【図４】図１及び図２に示す表示体の第２界面部に採用可能な構造の一例を拡大して示す斜視図。
【図５】第１界面部が回折光を射出する様子を概略的に示す図。
【図６】第２界面部が回折光を射出する様子を概略的に示す図。
【図７】マトリクス状に配列した複数の画素で表示面を構成した表示体の一例を概略的に示す平面図。
【図８】第２界面部に採用可能な凹部又は凸部の配置パターンの例を概略的に示す平面図。
【図９】第２界面部に採用可能な凹部又は凸部の配置パターンの例を概略的に示す平面図。
【図１０】第２界面部に採用可能な凹部又は凸部の配置パターンの例を概略的に示す平面図。
【図１１】第２界面部に採用可能な凹部又は凸部の配置パターンの例を概略的に示す平面図。
【図１２】図１及び図２に示す表示体の第２界面部に採用可能な構造の他の例を拡大して示す斜視図。
【図１３】図１及び図２に示す表示体の第２界面部に採用可能な構造の他の例を拡大して示す斜視図。
【図１４】図１及び図２に示す表示体の第２界面部に採用可能な構造の他の例を拡大して示す斜視図。
【図１５】偽造防止用又は識別用ラベルを物品に支持させてなるラベル付き物品の一例を概略的に示す平面図。
【符号の説明】
【００８６】
１０…表示体、１１…光透過層、１３…反射層、１２ａ…第１界面部、１２ｂ…第２界面部、１２ｃ…第３界面部、１４ａ…溝、１４ｂ…凹部又は凸部、１５…接着層、３１ａ…照明光、３１ｂ…照明光、３２ａ…正反射光又は０次回折光、３２ｂ…正反射光又は０次回折光、３３ａ…１次回折光、３３ｂ…１次回折光、５１…基材、５２…印刷層、５３…磁気記録層、１００…印刷物。
【図１】
2008107470.tif 000003
【図２】
2008107470.tif 000004
【図３】
2008107470.tif 000005
【図４】
2008107470.tif 000006
【図５】
2008107470.tif 000007
【図６】
2008107470.tif 000008
【図７】
2008107470.tif 000009
【図８】
2008107470.tif 000010
【図９】
2008107470.tif 000011
【図１０】
2008107470.tif 000012
【図１１】
2008107470.tif 000013
【図１２】
2008107470.tif 000014
【図１３】
2008107470.tif 000015
【図１４】
2008107470.tif 000016
【図１５】
2008107470.tif 000017